【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
下限５，０００、および、上限２００，０００を有する重量平均分子量（Ｍｗ）を有し、１０％水溶液の光透過率が光の波長６００ｎｍで８０％より大きく、タンパク質含量が多糖類の１．０重量％未満であり、ポリマー１０％水溶液中のトリメチルアミン含量が２５ｐｐｍ未満である、少なくとも１種のカチオン性ポリガラクトマンナン、または、カチオン性ポリガラクトマンナンの誘導体を含む、悪臭を減少させた組成物。
【請求項２】
着色剤、防腐剤、抗酸化剤、アルファまたはベータヒドロキシ酸、活性増強剤、乳化剤、機能性ポリマー、増粘剤、アルコール、脂肪もしくは脂肪族化合物、抗菌性化合物、ジンクピリチオン、シリコーン材料、炭化水素ポリマー、皮膚軟化薬、油、界面活性剤、懸濁化剤、および、それらの混合物からなる群より選択される構成要素をさらに含む、請求項１に記載の組成物。
【請求項３】
（ａ）カチオン性ポリガラクトマンナン、または、誘導体化されたカチオン性ポリガラクトマンナンの少なくとも１種と、水溶性の色物質や水不溶性の材料で構成されるＭｗを２００，０００未満に減少させる試薬の少なくとも１種とを反応させること、（ｂ）水不溶性の材料を除去すること、および、ｃ）臭い成分を除去して、請求項１に記載の組成物を生産すること（ここで、該臭い成分としては、トリメチルアミン（ＴＭＡ）およびその他のアミン、ならびに、水相中の低分子量成分が挙げられる）、を含む方法。
【請求項４】
前記本カチオン性ポリガラクトマンナン、または、誘導体化されたカチオン性ポリガラクトマンナンを、水性媒体中で前記試薬で処理して、水相と、処理されたポリガラクトマンナンの固相とで構成される水性分散液を生産し、該分散液から前記水不溶性の固体材料を除去して固相を除去し、水相から、トリメチルアミン（ＴＭＡ）およびその他のアミン、ならびに、低分子量成分などの臭い成分を除去し、請求項１に記載の組成物の透明な溶液を生産する、請求項３に記載の方法。
【請求項５】
前記試薬は、過酸化物、過硫酸塩、過マンガン酸塩、過塩素酸塩、次亜塩素酸塩、酸素、および、生化学的な酸化剤からなる群より選択される酸化試薬である、請求項４に記載の方法。
【請求項６】
前記水溶性の色物質を除去することをさらに含む、請求項３に記載の方法。
【請求項７】
前記水溶性の色物質を除去して、無色透明の水溶液を生産することをさらに含む、請求項３に記載の方法。
【請求項８】
前記誘導体化されたポリガラクトマンナンを、水溶液から乾燥状態で回収することをさらに含む、請求項４に記載の方法。
【請求項９】
請求項１に記載の組成物を含む、パーソナルケア製品、家庭用製品およびペットケア製品からなる群より選択される機能性を有する系を含む組成物。
【請求項１０】
前記機能性を有する系は、家庭用ケアまたはペットケア製品であり、少なくとも１種の活性な家庭用ケアまたはペットケア成分をさらに含む、請求項９に記載の組成物。
【請求項１１】
前記組成物はさらに、着色剤、防腐剤、抗酸化剤、漂白剤、活性増強剤、乳化剤、機能性ポリマー、増粘剤、アルコール、脂肪もしくは脂肪族化合物、油、界面活性剤、芳香剤、懸濁化剤、シリコーン材料、および、それらの混合物からなる群より選択される少なくとも１種の追加成分も含む、請求項１０に記載の家庭用ケアまたはペットケア製品の組成物。
【請求項１２】
前記機能性を有する系が、請求項１に記載の組成物を含むパーソナルケア製品であり、少なくとも１種の活性なパーソナルケア成分をさらに含む、請求項９に記載の組成物。
【請求項１３】
前記組成物はさらに、着色剤、防腐剤、抗酸化剤、アルファまたはベータヒドロキシ酸、活性増強剤、乳化剤、機能性ポリマー、増粘剤、アルコール、脂肪もしくは脂肪族化合物、抗菌性化合物、ジンクピリチオン、シリコーン材料、炭化水素ポリマー、皮膚軟化薬、油、界面活性剤、フレーバー、芳香剤、医薬品、リジュビネイティング剤、懸濁化剤、および、それらの混合物からなる群より選択される少なくとも１種の追加成分も含む、請求項１２に記載のパーソナルケア組成物。
【請求項１４】
水を組成物総量の５０〜９５重量％の量でさらに含む、請求項１に記載の組成物。
【請求項１５】
安定化殺生剤、香料、フレーバー、着色剤、および、それらの混合物からなる群より選択される少なくとも１種の追加成分をさらに含む、請求項１４に記載の組成物。
【手続補正２】
【補正対象書類名】明細書
【補正対象項目名】０１１０
【補正方法】変更
【補正の内容】
【０１１０】
特定の実施形態に関して本発明を説明するが、本発明はそれらに限定されないことに加えて、本発明の本質および範囲から逸脱することなく多くの変化や改変が可能であると理解されるものとする。
［本発明の態様］
［１］
下限５，０００、および、上限２００，０００を有する重量平均分子量（Ｍｗ）を有し、１０％水溶液の光透過率が光の波長６００ｎｍで８０％より大きく、タンパク質含量が多糖類の１．０重量％未満であり、ポリマー１０％水溶液中のトリメチルアミン含量が２５ｐｐｍ未満である、少なくとも１種のカチオン性ポリガラクトマンナン、または、カチオン性ポリガラクトマンナンの誘導体を含む、悪臭を減少させた組成物。
［２］
前記組成物は、少なくとも０．０１ミリ当量／グラムのアルデヒド官能基含量を有する、１に記載の組成物。
［３］
前記組成物は、ポリガラクトマンナン１グラムあたり１００ｐｐｍ未満のホウ素含量を有する、１に記載の組成物。
［４］
前記組成物は、下限約０．０１、および、上限約３．０のカチオン置換度（ＤＳ）を有する、「１に記載の組成物。
［５］
前記カチオン置換度（ＤＳ）は、０．１カチオンＤＳの下限の量を有する、４に記載の組成物。
［６］
前記カチオン置換度（ＤＳ）は、０．２カチオンＤＳの下限の量を有する、４に記載の組成物。
［７］
前記カチオン置換度（ＤＳ）は、約２．０の上限を有する、４に記載の組成物。
［８］
前記カチオン置換度（ＤＳ）は、約１．０の上限を有する、４に記載の組成物。
［９］
前記誘導体化されたカチオン性ポリガラクトマンナンにおける誘導体の成分は、アルキル、ヒドロキシアルキル、アルキルヒドロキシアルキル、および、カルボキシメチルからなる群より選択され、ここで、該アルキルは、１〜２２個の炭素を含む炭素鎖を有し、該ヒドロキシアルキルは、ヒドロキシエチル、ヒドロキシプロピルおよびヒドロキシブチルからなる群より選択される、１に記載の組成物。
［１０］
前記ポリガラクトマンナンは、グアール、ローカストビーン、アメリカサイカチ、および、ゴウシュウアオギリ（ｆｌａｍｅ ｔｒｅｅ）からなる群より選択される、１に記載の組成物。
［１１］
前記カチオン性成分は、第四アンモニウム化合物から選択される、１に記載の組成物。
［１２］
前記第四アンモニウム化合物は、３−クロロ−２−ヒドロキシプロピルトリメチルアンモニウム塩化物、２，３−エポキシ−プロピルトリメチルアンモニウム塩化物、３−クロロ−２−ヒドロキシプロピルトリメチルアンモニウム臭化物、２，３−エポキシ−プロピルトリメチルアンモニウム臭化物；グリシジルトリメチルアンモニウム塩化物、グリシジルトリエチルアンモニウム塩化物、グリシジルトリプロピルアンモニウム塩化物、グリシジルエチルジメチルアンモニウム塩化物、グリシジルジエチルメチルアンモニウム塩化物、ならびに、それらに対応する臭化物およびヨウ化物；３−クロロ−２−ヒドロキシプロピルトリメチルアンモニウム塩化物、３−クロロ−２−ヒドロキシプロピルトリエチルアンモニウム塩化物、３−クロロ−２−ヒドロキシプロピルトリプロピル塩化アンモニウム、３−クロロ−２−ヒドロキシプロピルエチルジメチルアンモニウム塩化物、ならびに、それらに対応する臭化物およびヨウ化物；および、イミダゾリン環を含む化合物のハロゲン化物からなる群より選択される、１１に記載の組成物。
［１３］
前記光透過率は、９０％より大きい、１に記載の組成物。
［１４］
前記光透過率は、９５％より大きい、１に記載の組成物。
［１５］
前記組成物中のタンパク質含量は、多糖類の約０．５重量％未満である、１に記載の組成物。
［１６］
前記Ｍｗは、２０，０００の下限を有する、１に記載の組成物。
［１７］
前記Ｍｗは、３５，０００の下限を有する、１に記載の組成物。
［１８］
前記Ｍｗは、５０，０００の下限を有する、１に記載の組成物。
［１９］
前記Ｍｗは、１００，０００の上限を有する、１に記載の組成物。
［２０］
前記Ｍｗは、７０，０００の上限を有する、１に記載の組成物。
［２１］
着色剤、防腐剤、抗酸化剤、アルファまたはベータヒドロキシ酸、活性増強剤、乳化剤、機能性ポリマー、増粘剤、アルコール、脂肪もしくは脂肪族化合物、抗菌性化合物、ジンクピリチオン、シリコーン材料、炭化水素ポリマー、皮膚軟化薬、油、界面活性剤、懸濁化剤、および、それらの混合物からなる群より選択される構成要素をさらに含む、１に記載の組成物。
［２２］
前記機能性ポリマーは、アニオン性、疎水性修飾した、両性アクリル酸コポリマー、ビニルピロリドンホモポリマーおよびコポリマー、カチオン性ビニルピロリドンコポリマー、非イオン性、カチオン性、アニオン性および両性セルロース系ポリマー、アクリルアミドホモポリマー、カチオン性、アニオン性、両性および疎水性修飾したアクリルアミドコポリマー、ポリエチレングリコールポリマーおよびコポリマー、疎水性修飾したポリエーテル、疎水性修飾したポリエーテルアセタール、疎水性修飾したポリエーテルウレタン、会合性ポリマー、疎水性修飾したセルロース系ポリマー、酸化ポリエチレン−酸化プロピレンコポリマー、および、非イオン性、アニオン性、疎水性修飾した、両性およびカチオン性多糖類、キトサン、ならびに、それらの混合物からなる群より選択される、２１に記載の組成物。
［２３］
前記非イオン性、カチオン性、アニオン性および両性セルロース系ポリマーは、ヒドロキシエチルセルロース、ヒドロキシプロピルセルロース、ヒドロキシプロピルメチルセルロース、カルボキシメチルセルロース、疎水性修飾したカルボキシメチルセルロース、カチオン性ヒドロキシエチルセルロース、カチオン性の疎水性修飾したヒドロキシエチルセルロース、疎水化修飾したヒドロキシエチルセルロース、疎水性修飾したヒドロキシプロピルセルロース、カチオン性の疎水性修飾したヒドロキシプロピルセルロース、カチオン性カルボキシメチルヒドロキシエチルセルロース、および、カチオン性ヒドロキシプロピルセルロースからなる群より選択される、２２に記載の組成物。
［２４］
前記非イオン性、アニオン性、疎水化修飾した、両性およびカチオン性多糖類は、カルボキシメチルグアール、アルギン酸塩、ヒドロキシプロピルグアール、疎水性修飾したグアール、カルボキシメチルグアールヒドロキシプロピルトリメチルアンモニウム塩化物、グアールヒドロキシプロピルトリメチルアンモニウム塩化物、および、ヒドロキシプロピルグアールヒドロキシプロピルトリメチルアンモニウム塩化物からなる群より選択される、２２に記載の組成物。
［２５］
前記増粘剤は、ＮａＣｌ、ＮＨ４Ｃｌ、ＫＣｌ、Ｎａ２ＳＯ４、脂肪族アルコール、脂肪酸エステル、脂肪酸アミド、脂肪族アルコールポリエチレングリコールエーテル、ソルビトールポリエチレングリコールエーテル、コカミドプロピルベタイン、クレイ、シリカ、セルロース系ポリマー、キサンタン、および、それらの混合物からなる群より選択される、２１に記載の組成物。
［２６］
前記シリコーン材料は、シクロシロキサン、直鎖状シロキサン、シロキサン構造中にポリオール、アミノまたはその他の官能基を有するシロキサン構造、および、それらの混合物からなる群より選択される、２１に記載の組成物。
［２７］
前記その他の官能基は、場合により、Ｃ６〜Ｃ２７アルキル基、置換または非置換のアミン基、チオール基、アルコキシル化した基、ヒドロキシル基、アシルオキシアルキル基を含む、ポリエチレンオキシ基および／またはポリプロピレンオキシ基からなる群より選択される、２６に記載の組成物。
［２８］
前記シリコーン材料は、ポリアルキルシロキサン、ポリアリールシロキサン、ポリアルキルアリールシロキサン、および、それらの混合物からなる群より選択される、２１に記載の組成物。
［２９］
前記ポリアルキルシロキサンは、ポリジメチルシロキサン、鎖の末端がヒドロキシル化されたポリジメチルシロキサン、および、それらの混合物からなる群より選択される、２８に記載の組成物。
［３０］
前記界面活性剤は、アニオン性、両性、または、非イオン性である、２１に記載の組成物。
［３１］
（ａ）カチオン性ポリガラクトマンナン、または、誘導体化されたカチオン性ポリガラクトマンナンの少なくとも１種と、水溶性の色物質や水不溶性の材料で構成されるＭｗを２００，０００未満に減少させる試薬の少なくとも１種とを反応させること、（ｂ）水不溶性の材料を除去すること、および、ｃ）臭い成分を除去して、１に記載の組成物を生産すること（ここで、該臭い成分としては、トリメチルアミン（ＴＭＡ）およびその他のアミン、ならびに、水相中の低分子量成分が挙げられる）、を含む方法。
［３２］
前記本カチオン性ポリガラクトマンナン、または、誘導体化されたカチオン性ポリガラクトマンナンを、水性媒体中で前記試薬で処理して、水相と、処理されたポリガラクトマンナンの固相とで構成される水性分散液を生産し、該分散液から前記水不溶性の固体材料を除去して固相を除去し、水相から、トリメチルアミン（ＴＭＡ）およびその他のアミン、ならびに、低分子量成分などの臭い成分を除去し、１に記載の組成物の透明な溶液を生産する、３１に記載の方法。
［３３］
前記試薬は、過酸化物、過硫酸塩、過マンガン酸塩、過塩素酸塩、次亜塩素酸塩、酸素、および、生化学的な酸化剤からなる群より選択される酸化試薬である、３２に記載の方法。
［３４］
前記過酸化物は、過酸化水素である、３３に記載の方法。
［３５］
前記生化学的な酸化試薬は、オキシゲナーゼである、３３に記載の方法。
［３６］
前記オキシゲナーゼは、ガラクトースオキシダーゼである、３５に記載の方法。
［３７］
前記試薬は、加水分解試薬をさらに含む、３２に記載の方法。
［３８］
前記加水分解試薬は、加水分解酵素からなる群より選択される、３７に記載の方法。
［３９］
前記加水分解酵素は、ヘミセルラーゼからなる群より選択される、３８に記載の方法。
［４０］
前記ヘミセルラーゼは、マンナナーゼである、３９に記載の方法。
［４１］
前記加水分解試薬は、有機酸または無機酸である、３７に記載の方法。
［４２］
前記水溶性の色物質を除去することをさらに含む、３１に記載の方法。
［４３］
前記水溶性の色物質を除去して、無色透明の水溶液を生産することをさらに含む、３１に記載の方法。
［４４］
前記水溶性の色物質は、メタ重亜硫酸ナトリウム、亜硫酸水素ナトリウム、次亜塩素酸ナトリウム、または、亜塩素酸ナトリウムの添加によって除去される、４２に記載の方法。
［４５］
前記水溶性の色物質は、活性炭の添加、それに続く分離工程によって除去される、４２に記載の方法。
［４６］
前記水溶性の色物質は、分子篩の添加、それに続く分離工程によって除去される、４２に記載の方法。
［４７］
前記誘導体化されたポリガラクトマンナンを、水溶液から乾燥状態で回収することをさらに含む、３２に記載の方法。
［４８］
前記本カチオン性ポリガラクトマンナン、または、誘導体化されたカチオン性ポリガラクトマンナンは、粉末、フラワーまたはスプリットの形態である、３１に記載の方法。
［４９］
前記臭い成分の除去工程は、窒素を用いたスパージング、蒸留、吸着、イオン交換、および、膜を用いた透析ろ過からなる群より選択される工程を含む、３１に記載の方法。
［５０］
前記膜を用いた透析ろ過は、中空繊維、らせん状に巻いた形状、および、プレート、および、フレームからなる群より選択される形状のナノろ過膜を用いる、４９に記載の方法。
［５１］
前記吸着工程は、アルミナ、シリカ、シリカ−アルミナ、および、酸性ゼオライトからなる群より選択される吸着剤を含む、４９に記載の方法。
［５２］
前記イオン交換工程は、ポリスチレンベースのイオン交換樹脂を用いる、４９に記載の方法。
［５３］
前記窒素を用いたスパージングは、大気圧で行われるか、または、真空を利用して行われる、４９に記載の方法。
［５４］
前記蒸留工程は、一般的な蒸留、または、抽出溶媒として水を用いる抽出蒸留を含む、４９に記載の方法。
［５５］
１に記載の組成物を含む、パーソナルケア製品、家庭用製品およびペットケア製品からなる群より選択される機能性を有する系を含む組成物。
［５６］
１に記載の組成物は、１０重量%未満の量で前記機能性を有する系に包含される、５５に記載の組成物。
［５７］
１に記載の組成物は、５重量％未満の量で前記機能性を有する系に包含される、５５に記載の組成物。
［５８］
１に記載の組成物は、１重量％未満の量で前記機能性を有する系に包含される、５５に記載の組成物。
［５９］
前記機能性を有する系は、酸性ｐＨを有する、５５に記載の組成物。
［６０］
前記機能性を有する系は、中性ｐＨを有する、５５に記載の組成物。
［６１］
前記機能性を有する系は、アルカリ性ｐＨを有する、５５に記載の組成物。
［６２］
前記機能性を有する系は、家庭用ケアまたはペットケア製品である、５５に記載の組成物。
［６３］
少なくとも１種の活性な家庭用ケアまたはペットケア成分をさらに含む、６２に記載の家庭用ケアまたはペットケア製品の組成物。
［６４］
前記活性な家庭用成分は、昆虫忌避剤、ペット用脱臭剤、ペット用シャンプーの活性物質、工業グレードの固形石鹸、および、液体石鹸の活性物質、食器洗い石鹸の活性物質、多目的クリーナー、消毒剤、敷物および室内装飾材料クリーニングの活性物質、ランドリー用柔軟剤の活性物質、ランドリー用洗浄剤の活性物質、便器クリーニング剤、織物用サイズ剤、集塵剤、再付着防止剤、織物用クリーニング剤、および、平滑剤からなる群より選択される、６３に記載の家庭用ケアまたはペットケア製品の組成物。
［６５］
前記組成物はさらに、着色剤、防腐剤、抗酸化剤、漂白剤、活性増強剤、乳化剤、機能性ポリマー、増粘剤、アルコール、脂肪もしくは脂肪族化合物、油、界面活性剤、芳香剤、懸濁化剤、シリコーン材料、および、それらの混合物からなる群より選択される少なくとも１種の追加成分も含む、６２に記載の家庭用ケアまたはペットケア製品の組成物。
［６６］
前記機能性を有する系は、１に記載の組成物を含むパーソナルケア製品である、５５に記載の組成物。
［６７］
少なくとも１種の活性なパーソナルケア成分をさらに含む、６６に記載のパーソナルケア組成物。
［６８］
前記活性なパーソナルケア成分は、香料、皮膚用冷却剤、皮膚軟化薬、消臭剤、制汗活性物質、保湿剤、クレンジング剤、日焼け止め活性物質、ヘアートリートメント剤、口腔ケア剤、義歯接着剤、髭剃り用活性物質、化粧品、および、ネイルケア活性物質からなる群より選択される、６７に記載のパーソナルケア組成物。
［６９］
前記組成物は、ヘアケア、スキンケア、日焼けケア、ネイルケア、および、口腔ケアからなる群より選択される製品である、６６に記載のパーソナルケア組成物。
［７０］
前記製品は、シリコーン材料、炭化水素油、パンテノールおよびそれらの誘導体、パントテン酸およびそれらの誘導体、および、それらの混合物からなる群より選択されるコンディショニング剤を含むヘアケア製品である、６９に記載のパーソナルケア組成物。
［７１］
前記製品は、シリコーン材料、炭化水素油、パンテノールおよびそれらの誘導体、パントテン酸およびそれらの誘導体、ならびに、それらの混合物からなる群より選択されるコンディショニング剤を含むスキンケア製品である、６９に記載のパーソナルケア組成物。
［７２］
前記製品は、５重量％以下の１に記載の組成物を含み、さらに、９５％より大きい光透過率を有する、ヘアケア製品またはスキンケア製品である、６９に記載のパーソナルケア組成物。
［７３］
前記組成物はさらに、着色剤、防腐剤、抗酸化剤、アルファまたはベータヒドロキシ酸、活性増強剤、乳化剤、機能性ポリマー、増粘剤、アルコール、脂肪もしくは脂肪族化合物、抗菌性化合物、ジンクピリチオン、シリコーン材料、炭化水素ポリマー、皮膚軟化薬、油、界面活性剤、フレーバー、芳香剤、医薬品、リジュビネイティング剤、懸濁化剤、および、それらの混合物からなる群より選択される少なくとも１種の追加成分も含む、６６に記載のパーソナルケア組成物。
［７４］
前記機能性を有する系は、水中油型または油中水型乳濁液である、５５に記載の組成物。
［７５］
水を組成物総量の５０〜９５重量％の量でさらに含む、１に記載の組成物。
［７６］
安定化殺生剤、香料、フレーバー、着色剤、および、それらの混合物からなる群より選択される少なくとも１種の追加成分をさらに含む、７５に記載の組成物。